(57)【特許請求の範囲】
【請求項１】
第１の接続要求に応答してユーザ機器（ＵＥ）で第１の接続失敗を検出することと、ここにおいて、接続失敗は、接続拒絶メッセージの受信または応答タイマーの満了の少なくとも１つに基づいて検出され、
第２の接続要求に応答して前記ＵＥにおける第２の接続失敗を検出することと、
前記第２の接続失敗のタイムスタンプと前記第１の接続失敗の以前記憶されたタイムスタンプとの間の第１の差を計算することと、
前記第１の差が第１の時間しきい値を満たすことを判断すると、１つまたは複数の以前の接続失敗に関係する記憶された情報を、前記ＵＥで変更することと、ここにおいて、前記１つまたは複数の以前の接続失敗が前記第１の接続失敗を含み、
前記第１の差が前記第１の時間しきい値を満たすことができないと判断すると、バックオフ時間期間の間で将来の接続要求または禁止時間期間の間で将来の接続要求のうちの１つを保留することと、
を備える、ワイヤレス通信の方法。
【請求項２】
直近接続失敗と以前記憶されたタイムスタンプとの間のインターバルの少なくともサイズに基づいて前記１つまたは複数の以前の接続失敗に関連する重みを調整すること、を更に備える請求項１に記載の方法。
【請求項３】
前記１つまたは複数の以前の接続失敗に関係する情報を変更することは、
接続失敗のカウンタをリセットすること
を備える、請求項１に記載の方法。
【請求項４】
前記１つまたは複数の以前の接続失敗に関係する情報を変更することが、
前記１つまたは複数の以前の接続失敗の記憶されたタイムスタンプをクリアすること
を備える、請求項１に記載の方法。
【請求項５】
前記第２の接続失敗の前記タイムスタンプで、ある時間期間中に発生すべき最も早い接続失敗の以前記憶されたタイムスタンプを更新することと、
接続失敗のカウンタを初期化することと
をさらに備える、請求項１に記載の方法。
【請求項６】
前記第１の差が前記第１の時間しきい値を満たすことができないと判断すると、前記第２の接続失敗の前記タイムスタンプで、ある時間期間中に発生すべき最後接続失敗の以前記憶されたタイムスタンプを更新することと、
接続失敗のカウンタを増分することと、
接続失敗の前記カウンタがカウンタしきい値を満たすかどうかを判断することと
をさらに備える、請求項１に記載の方法。
【請求項７】
接続失敗の前記カウンタが前記カウンタしきい値を満たすと判断すると、前記時間期間中に発生すべき前記最後接続失敗の前記タイムスタンプと、前記時間期間中に発生すべき最も早い接続失敗のタイムスタンプとの間の第２の差を計算することと、
前記第２の差が第２の時間しきい値を満たすかどうかを判断することと
をさらに備える、請求項６に記載の方法。
【請求項８】
前記禁止時間期間の間で前記将来の接続要求または前記バックオフ時間期間の間で前記将来の接続要求のうちの１つを保留することは、
前記第２の差が前記第２の時間しきい値を満たすことができないと判断すると、前記バックオフ時間期間の間、前記将来の接続要求を保留すること
をさらに備える、請求項７に記載の方法。
【請求項９】
前記禁止時間期間に関する前記将来の接続要求または前記バックオフ時間期間に関する前記将来の接続要求のうちの１つを保留することは、
前記第２の差が前記第２の時間しきい値を満たすと判断すると、前記禁止時間期間の間、前記将来の接続要求を保留すること
をさらに備え、前記禁止時間期間は前記バックオフ時間期間よりも大きい、請求項８に記載の方法。
【請求項１０】
前記第２の接続失敗が前記第１の接続失敗の発生の後で発生する、請求項１に記載の方法。
【請求項１１】
プロセッサと、
前記プロセッサと電子通信しているメモリと、
前記メモリに記憶された命令と
を備え、前記命令は、
第１の接続要求に応答してユーザ機器（ＵＥ）で第１の接続失敗を検出することと、ここにおいて、接続失敗は、接続拒絶メッセージの受信または応答タイマーの満了の少なくとも１つに基づいて検出され、
第２の接続要求に応答して前記ＵＥにおける第２の接続失敗を検出することと、
前記第２の接続失敗のタイムスタンプと前記第１の接続失敗の以前記憶されたタイムスタンプとの間の第１の差を計算することと、
前記第１の差が第１の時間しきい値を満たしていると判断すると、１つまたは複数の以前の接続失敗に関係する記憶された情報を、前記ＵＥで変更することと、ここにおいて、前記１つまたは複数の以前の接続失敗は前記第１の接続失敗を含み、
前記第１の差が前記第１の時間しきい値を満たすことができないと判断すると、バックオフ時間期間の間で将来の接続要求または禁止時間期間の間で将来の接続要求のうちの１つを保留することと、
を行うことを前記プロセッサによって実行可能である、
ワイヤレス通信のための装置。
【請求項１２】
前記命令は、
直近接続失敗と以前記憶されたタイムスタンプとの間のインターバルの少なくともサイズに基づいて前記１つまたは複数の以前の接続失敗に関連する重みを調整することを、前記プロセッサによってさらに実行可能である、請求項１１に記載の装置。
【請求項１３】
前記１つまたは複数の以前の接続失敗に関係する前記情報を変更するための前記命令は、
接続失敗のカウンタをリセットする
ことを前記プロセッサによって実行可能である、請求項１１に記載の装置。
【請求項１４】
前記１つまたは複数の以前の接続失敗に関係する前記情報を変更するための前記命令は、
前記１つまたは複数の以前の接続失敗の記憶されたタイムスタンプをクリアする
ことを前記プロセッサによって実行可能である、請求項１１に記載の装置。
【請求項１５】
前記命令は、
前記第２の接続失敗の前記タイムスタンプで、ある時間期間中に発生すべき最も早い接続失敗の以前記憶されたタイムスタンプを更新することと、
接続失敗のカウンタを初期化することと
を行うことを前記プロセッサによって実行可能である、請求項１１に記載の装置。
【請求項１６】
前記第１の差が前記第１の時間しきい値を満たすことができないと判断すると、前記命令は、
前記第２の接続失敗の前記タイムスタンプで、ある時間期間中に発生すべき最後接続失敗の以前記憶されたタイムスタンプを更新することと、
接続失敗のカウンタを増分することと、
接続失敗の前記カウンタがカウンタしきい値を満たすかどうかを判断することと
を行うことを前記プロセッサによって実行可能である、請求項１１に記載の装置。
【請求項１７】
接続失敗の前記カウンタが前記カウンタしきい値を満たすと判断すると、前記命令は、
前記時間期間中に発生すべき前記最後接続失敗の前記タイムスタンプと、前記時間期間中に発生すべき最も早い接続失敗のタイムスタンプとの間の第２の差を計算することと、
前記第２の差が第２の時間しきい値を満たすかどうかを判断することと
を行うことを前記プロセッサによって実行可能である、請求項１６に記載の装置。
【請求項１８】
前記第２の差が前記第２の時間しきい値を満たすことができないと判断すると、前記命令は、
前記バックオフ時間期間の間、前記将来の接続要求を保留する
ことを前記プロセッサによって実行可能である、請求項１７に記載の装置。
【請求項１９】
前記第２の差が前記第２の時間しきい値を満たすと判断すると、前記命令が、
前記禁止時間期間の間、前記将来の接続要求を保留する
ことを前記プロセッサによって実行可能であり、前記禁止時間期間が前記バックオフ時間期間よりも大きい、請求項１７に記載の装置。
【請求項２０】
第１の接続要求に応答してユーザ機器（ＵＥ）で第１の接続失敗を検出するための手段と、ここにおいて、接続失敗は、接続拒絶メッセージの受信または応答タイマーの満了の少なくとも１つに基づいて検出され、
第２の接続要求に応答して前記ＵＥにおける第２の接続失敗を検出するための手段と、
前記第２の接続失敗のタイムスタンプと前記第１の接続失敗の以前記憶されたタイムスタンプとの間の第１の差を計算するための手段と、
前記第１の差が第１の時間しきい値を満たすことを判断すると、１つまたは複数の以前の接続失敗に関係する記憶された情報を、前記ＵＥで変更する手段と、ここにおいて、前記１つまたは複数の以前の接続失敗は前記第１の接続失敗を含み、
前記第１の差が前記第１の時間しきい値を満たすことができないと判断すると、バックオフ時間期間の間で将来の接続要求または禁止時間期間の間で将来の接続要求のうちの１つを保留するための手段と、
を備える、ワイヤレス通信のための装置。
【請求項２１】
直近接続失敗と以前記憶されたタイムスタンプとの間のインターバルの少なくともサイズに基づいて前記１つまたは複数の以前の接続失敗に関連する重みを調整する手段を更に備える請求項２０に記載の装置。
【請求項２２】
前記１つまたは複数の以前の接続失敗に関係する前記記憶された情報を変更するための前記手段は、
接続失敗のカウンタをリセットするための手段
を備える、請求項２１に記載の装置。
【請求項２３】
前記１つまたは複数の以前の接続失敗に関係する前記記憶された情報を変更するための前記手段は、
前記１つまたは複数の以前の接続失敗の記憶されたタイムスタンプをクリアするための手段
を備える、請求項２０に記載の装置。
【請求項２４】
前記第２の接続失敗の前記タイムスタンプで、ある時間期間中に発生すべき最も早い接続失敗の以前記憶されたタイムスタンプを更新するための手段と、
接続失敗のカウンタを初期化するための手段と
をさらに備える、請求項２０に記載の装置。
【請求項２５】
前記第１の差が前記第１の時間しきい値を満たすことができないと判断すると、前記第２の接続失敗の前記タイムスタンプで、ある時間期間中に発生すべき最後接続失敗の以前記憶されたタイムスタンプを更新するための手段と、
接続失敗のカウンタを増分するための手段と、
接続失敗の前記カウンタがカウンタしきい値を満たすかどうかを判断するための手段と
をさらに備える、請求項２０に記載の装置。
【請求項２６】
接続失敗の前記カウンタが前記カウンタしきい値を満たすと判断すると、前記時間期間中に発生すべき前記最後接続失敗の前記タイムスタンプと、前記時間期間中に発生すべき最も早い接続失敗のタイムスタンプとの間の第２の差を計算するための手段と、
前記第２の差が第２の時間しきい値を満たすかどうかを判断するための手段と
をさらに備える、請求項２５に記載の装置。
【請求項２７】
前記バックオフ時間期間の間で前記将来の接続要求または前記禁止時間期間の間で前記将来の接続要求のうちの１つを保留するための前記手段は、
前記第２の差が前記第２の時間しきい値を満たすことができないと判断すると、前記バックオフ時間期間の間、前記将来の接続要求を保留するための手段
を備える、請求項２６に記載の装置。
【請求項２８】
前記バックオフ時間期間の間で前記将来の接続要求または前記禁止時間期間の間で前記将来の接続要求のうちの１つを保留するための前記手段は、
前記第２の差が前記第２の時間しきい値を満たすと判断すると、前記禁止時間期間の間、前記将来の接続要求を保留するための手段
を備え、前記禁止時間期間が前記バックオフ時間期間よりも大きい、請求項２６に記載の装置。
【請求項２９】
ワイヤレス通信システムにおいて輻輳を低減するためのコンピュータプログラムであって、前記コンピュータプログラムは、少なくとも１つのプロセッサに、
第１の接続要求に応答してユーザ機器（ＵＥ）で第１の接続失敗を検出することと、ここにおいて、接続失敗は、接続拒絶メッセージの受信または応答タイマーの満了の少なくとも１つに基づいて検出され、
第２の接続要求に応答して前記ＵＥにおける第２の接続失敗を検出することと、
前記第２の接続失敗のタイムスタンプと前記第１の接続失敗の以前記憶されたタイムスタンプとの間の第１の差を計算することと、
前記第１の差が第１の時間しきい値を満たしていると判断すると、１つまたは複数の以前の接続失敗に関して記憶された情報を、前記ＵＥで変更することと、ここにおいて、前記１つまたは複数の以前の接続失敗が前記第１の接続失敗を含み、
前記第１の差が前記第１の時間しきい値を満たすことができないと判断すると、バックオフ時間期間の間で将来の接続要求または禁止時間期間の間で将来の接続要求のうちの１つを保留することと、
を行わせるための命令を備える、コンピュータプログラム。
【請求項３０】
前記命令は、前記少なくとも１つのプロセッサに、直近接続失敗と以前記憶されたタイムスタンプとの間のインターバルの少なくともサイズに基づいて前記１つまたは複数の以前の接続失敗に関連する重みを調整させる、請求項２９に記載のコンピュータプログラム。
【発明の詳細な説明】
【技術分野】
【０００１】
相互参照
[0001]本特許出願は、本出願の譲受人に譲渡され、参照により本明細書に明確に組み込まれる、２０１３年１２月２日に出願された、Ｐａｔｉｌらによる「Techniques for Reducing Network Congestion in a Wireless Communications System」と題する米国出願第１４／０９３，７４７号の優先権の利益を主張し、２０１２年１２月２１日に出願された、Ｐａｔｉｌらによる「Reducing Network Congestion in a Wireless Communications System」と題する米国仮特許出願第６１／７４５，１７６号の優先権の利益を主張する。
【０００２】
[0002]本開示はワイヤレス通信に関する。より詳細には、本開示は、ワイヤレス通信システムにおいてネットワーク輻輳を低減するための技法を対象とする。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]ＵＥは、アップリンク上で接続要求を送信することによって基地局に接続することを試み得る。接続要求に応答してダウンリンク上で接続失敗（connection failure）が受信された場合、ＵＥは、追加の接続要求を送信し続け得る。追加の接続要求の送信は通信ネットワークの輻輳を増加させる。
【発明の概要】
【０００６】
[0006]ワイヤレス通信システムにおいて輻輳を低減するための技法が説明される。一例では、ＵＥにおける第２の接続失敗（たとえば、現在の接続失敗）が検出され得る。上記接続失敗のタイムスタンプと第１の接続失敗（たとえば、以前の接続失敗）の以前記憶されたタイムスタンプとの間の差が計算される。タイムスタンプ間の計算された差が時間しきい値を満たすかどうかに関する判断が行われ得る。上記差が時間しきい値を満たすと判断すると、１つまたは複数の以前の接続失敗に関係する情報が変更される。たとえば、１つまたは複数の以前の接続失敗に関係する情報がクリアされ得る。たとえば、検出された接続失敗のカウントを維持するカウンタがクリア（たとえば、０にリセット）され得る。さらに、識別された時間期間中に発生する接続失敗の数が識別され得る。接続失敗の数が識別された時間期間内にカウンタしきい値を満たすかどうかに関する判断が行われる。接続失敗の数が識別された時間期間内にカウンタしきい値を満たすと判断すると、ある時間期間の間、将来の接続要求が保留され得る。たとえば、将来の接続要求は、バックオフ時間（back off time）または禁止時間（barring time）の間、保留され得る。一例では、バックオフ時間は禁止時間よりも小さいことがある。バックオフ時間または禁止時間の間、将来の接続要求を保留すべきかどうかの判断は、第２の接続失敗のタイムスタンプと第１の接続失敗のタイムスタンプとの差が時間しきい値を満たすかどうかに依存し得る。
【０００７】
[0007]一例では、ワイヤレス通信システムにおいて輻輳を低減するための方法が説明される。第２の接続失敗がユーザ機器ＵＥにおいて検出され得る。第２の接続失敗のタイムスタンプと第１の接続失敗の以前記憶されたタイムスタンプとの間の第１の差が計算され得る。第１の差が第１の時間しきい値を満たすと判断すると、少なくとも第１の接続失敗に関係するＵＥにおける記憶された情報が変更され得る。
【０００８】
[0008]一例では、少なくとも第１の接続失敗に関係する記憶された情報を変更することは、１つまたは複数の以前の接続失敗に関係する情報をクリアすること、または１つまたは複数の以前の接続失敗に関連する重みを調整することを含む。１つまたは複数の以前の接続失敗は第１の接続失敗を含み得る。一例では、１つまたは複数の以前の接続に関係する情報をクリアすることは、接続失敗のカウンタをリセットすること、１つまたは複数の以前の接続失敗の記憶されたタイムスタンプをクリアすること、または第２の接続失敗のタイムスタンプで、ある時間期間中に発生すべき最も早い接続失敗の以前記憶されたタイムスタンプを更新すること、および接続失敗のカウンタを初期化することを含み得る。第２の接続失敗は、上記時間期間中に発生すべき最も早い接続失敗であり得る。
【０００９】
[0009]第１の差が第１の時間しきい値を満たすことができないと判断すると、第２の接続失敗のタイムスタンプで、ある時間期間中に発生すべき最後接続失敗の以前記憶されたタイムスタンプが更新され得、接続失敗のカウンタが増分され得る。第２の接続失敗は、上記時間期間中に発生すべき最後接続失敗であり得る。
【００１０】
[0010]接続失敗のカウンタがカウンタしきい値を満たすかどうかに関する判断が行われ得る。接続失敗のカウンタがカウンタしきい値を満たすと判断すると、上記時間期間中に発生すべき最後接続失敗のタイムスタンプと、上記時間期間中に発生すべき最も早い接続失敗のタイムスタンプとの間の第２の差が計算され得る。第１の接続失敗は、ある時間期間中に発生すべき最も早い接続失敗であり得る。
【００１１】
[0011]また、第２の差が第２の時間しきい値を満たすかどうかに関する判断が行われ得る。第２の差が第２の時間しきい値を満たすことができないと判断すると、バックオフ時間の間、将来の接続要求が保留され得る。第２の差が第２の時間しきい値を満たすと判断すると、禁止時間の間、将来の接続要求は保留され得る。禁止時間はバックオフ時間よりも大きいことがある。一例では、第２の接続失敗は第１の接続失敗の発生の後で発生し得る。
【００１２】
[0012]ワイヤレス通信システムにおいて輻輳を低減するために構成されたユーザ機器（ＵＥ）も説明される。本ＵＥは、プロセッサと、プロセッサと電子通信しているメモリとを含み得る。メモリに命令が記憶され得る。命令は、本ＵＥにおける第２の（たとえば、現在の）接続失敗を検出することと、第２の接続失敗のタイムスタンプと第１の（たとえば、以前の）接続失敗の以前記憶されたタイムスタンプとの間の第１の差を計算することとを行うためにプロセッサによって実行可能であり得る。第１の差が第１の時間しきい値を満たすと判断すると、命令は、少なくとも第１の接続失敗に関係する本ＵＥにおける記憶された情報を変更するためにプロセッサによって実行可能であり得る。
【００１３】
[0013]ワイヤレス通信システムにおいて輻輳を低減するための装置も説明される。本装置は、ユーザ機器（ＵＥ）における第２の（たとえば、現在の）接続失敗を検出するための手段と、第２の接続失敗のタイムスタンプと第１の（たとえば、以前の）接続失敗の以前記憶されたタイムスタンプとの間の第１の差を計算するための手段とを含み得る。第１の差が第１の時間しきい値を満たすと判断すると、本装置は、少なくとも第１の接続失敗に関係するＵＥにおける記憶された情報を変更するための手段をも含み得る。
【００１４】
[0014]ワイヤレス通信システムにおいて輻輳を低減するためのコンピュータプログラム製品も説明される。本コンピュータプログラム製品は、ユーザ機器（ＵＥ）における第２の（たとえば、現在の）接続失敗を検出することと、第２の接続失敗のタイムスタンプと第１の（たとえば、以前の）接続失敗の以前記憶されたタイムスタンプとの間の第１の差を計算することと、第１の差が第１の時間しきい値を満たすと判断すると、少なくとも第１の接続失敗に関係するＵＥにおける記憶された情報を変更することとを行うためにプロセッサによって実行可能な命令を記憶する非一時的コンピュータ可読媒体を含み得る。
【００１５】
[0015]以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００１６】
【図１】[0016]本開示の様々な態様による、ワイヤレス通信システムの一例を示すブロック図。
【図２】[0017]本開示の様々な態様による、ＬＴＥ／ＬＴＥアドバンストネットワークアーキテクチャを示す図。
【図３】[0018]本開示の様々な態様による、ユーザ機器（ＵＥ）の一例を示すブロック図。
【図４】[0019]本開示の様々な態様による、接続要求制御モジュールの一例を示すブロック図。
【図５】[0020]本開示の様々な態様による、ワイヤレス通信システムにおいてネットワーク輻輳を低減するための様々なモジュールの一例を示すブロック図。
【図６】[0021]本開示の様々な態様による、ｅＮＢとＵＥとの間の接続プロシージャのメッセージフロー図。
【図７】[0022]本開示の様々な態様による、基地局とＵＥとを含むＭＩＭＯ通信システムのブロック図。
【図８】[0023]本開示の様々な態様による、１つまたは複数の以前の接続失敗に関係する情報をクリアするための方法の一例を示すフローチャート。
【図９】[0024]本開示の様々な態様による、ある時間期間の間、将来の接続要求を保留するための方法の一例を示すフローチャート。
【図１０】[0025]本開示の様々な態様による、以前の接続失敗に関係する情報をクリアすること、および／または、ある時間期間の間、将来の接続要求を保留することによって、ネットワークにおいて輻輳を低減するための方法の一例を示すフローチャート。
【図１１】[0026]本開示の様々な態様による、ある時間期間の間、将来の接続要求を保留することによってネットワークにおいて輻輳を低減するための方法の一例を示すフローチャート。
【発明を実施するための形態】
【００１７】
[0027]説明される例は、ワイヤレス通信ネットワークの輻輳を低減するための技法を対象とする。ＵＥが、通信ネットワークに加わるための要求に応答して接続失敗を受信し得る。接続失敗を受信したことに応答して、ＵＥは、ネットワークに加わるための別の要求を送り得る。ＵＥは、ある時間期間中に受信された接続失敗の数のカウントを維持し得る。一例では、ＵＥは、接続失敗の数がしきい値を満たす場合、将来の接続要求を送ることを保留し得る。将来の接続要求を保留することは、ＵＥが接続要求を送り続けるのを防ぎ、ネットワーク輻輳を低減し得る。さらに、ＵＥは、接続失敗の受信間の時間がしきい値を満たす場合、接続失敗の数を維持するカウンタをリセットし得る。カウンタをリセットすることは、ネットワークが瞬間的に輻輳していることがあるとき、接続失敗のカウントがしきい値を早期に満たすのを防ぐ。
【００１８】
[0028]以下の説明は、例を与えるものであり、特許請求の範囲に記載された範囲、適用可能性、または構成を限定するものではない。本開示の趣旨および範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実施され得、様々なステップが追加、省略、または組み合わせられ得る。また、いくつかの例に関して説明される特徴は、他の例において組み合わせられ得る。
【００１９】
[0029]図１は、本開示の様々な態様による、ワイヤレス通信システム１００の一例を示すブロック図である。ワイヤレス通信システム１００は、基地局（またはセル）１０５と、ユーザ機器（ＵＥ）１１５と、コアネットワーク１３０とを含む。基地局１０５は、様々な例ではコアネットワーク１３０または基地局１０５の一部であり得る、基地局コントローラの制御下でＵＥ１１５と通信し得る。基地局１０５は、コアネットワークバックホールリンク１３２を通してコアネットワーク１３０と制御情報および／またはユーザデータを通信し得る。いくつかの例では、基地局１０５は、ワイヤードまたはワイヤレス通信リンクであり得る基地局バックホールリンク１３４を介して互いと直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００２０】
[0030]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、基本サービスセット（ＢＳＳ）、拡張サービスセット（ＥＳＳ）、ノードＢ、発展型ノードＢ（ｅノードＢまたはｅＮＢ）、ホームノードＢ、ホームｅノードＢ、または何らかの他の好適な用語で呼ばれることがある。基地局のための地理的カバレージエリア１１０は、カバレージエリアの一部分のみを構成するセクタに分割され得る。ワイヤレス通信システム１００は、異なるタイプの基地局１０５（たとえば、マクロ基地局、マイクロ基地局、および／またはピコ基地局）を含み得る。異なる技術のための重複するカバレージエリアがあり得る。
【００２１】
[0031]例では、ワイヤレス通信システム１００はＬＴＥ／ＬＴＥ−Ａネットワークである。ＬＴＥ／ＬＴＥ−Ａネットワークでは、発展型ノードＢ（ｅＮＢ）という用語は、概して、基地局１０５を記述するために使用され得る。ワイヤレス通信システム１００は、異なるタイプのｅＮＢが様々な地理的領域にカバレージを与える、異種ＬＴＥ／ＬＴＥ−Ａネットワークであり得る。たとえば、各基地局１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスをも可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。ｅＮＢは、１つまたは複数の（たとえば、２つ、３つ、４つなどの）セルをサポートし得る。
【００２２】
[0032]コアネットワーク１３０は、１つまたは複数のコアネットワークバックホールリンク１３２（たとえば、Ｓ１など）を介して基地局１０５と通信し得る。基地局１０５は、たとえば、１つまたは複数の基地局バックホールリンク１３４（たとえば、Ｘ２など）を介しておよび／またはコアネットワークバックホールリンク１３２を介して（たとえば、コアネットワーク１３０を通して）直接または間接的に、互いとも通信し得る。ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００２３】
[0033]ＵＥ１１５はワイヤレス通信システム１００全体にわたって分散され、各ＵＥは固定または移動であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００２４】
[0034]ワイヤレス通信システム１００に示された通信リンク１２５は、ＵＥ１１５から基地局１０５へのアップリンク（ＵＬ）送信および／または基地局１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。ＵＥ１１５は、特定の基地局１０５と通信するための接続要求を送り得る。基地局１０５は、セルが輻輳している場合、その要求を拒否し得る。その拒否を受信すると、ＵＥ１１５は、追加の輻輳を追加することを回避するために接続要求をいつ再送信すべきかを制御し得る。ワイヤレス通信システム１００はＬＴＥ／ＬＴＥアドバンストアーキテクチャに関して説明されたが、本開示全体にわたって提示される様々な概念は他のタイプのワイヤレスネットワークに拡張され得ることを、当業者は容易に諒解されよう。
【００２５】
[0035]図２は、本開示の様々な態様による、ＬＴＥ／ＬＴＥアドバンストネットワークアーキテクチャを示す図である。ＬＴＥ／ＬＴＥアドバンストネットワークアーキテクチャは発展型パケットシステム（ＥＰＳ：Evolved Packet System）２００と呼ばれることがある。ＥＰＳ２００は、１つまたは複数のＵＥ２１５と、発展型ＵＭＴＳ地上波無線アクセスネットワーク（Ｅ−ＵＴＲＡＮ：Evolved UMTS Terrestrial Radio Access Network）２１０と、発展型パケットコア（ＥＰＣ：Evolved Packet Core）２３０と、ホーム加入者サーバ（ＨＳＳ：Home Subscriber Server）２２０と、事業者のＩＰサービス２２２とを含み得る。ＥＰＳ２００は他のアクセスネットワークと相互接続し得る。示されているように、ＥＰＳ２００はパケット交換サービスを与えるが、当業者が容易に諒解するように、本開示全体にわたって提示される様々な概念は、回線交換サービスを与えるネットワークに拡張され得る。
【００２６】
[0036]Ｅ−ＵＴＲＡＮ２１０は、第１のｅＮＢ２０５−ａと他のｅＮＢ２０５−ｂとを含み得る。第１のｅＮＢ２０５−ａおよび他のｅＮＢ２０５−ｂは、図１において説明された１つまたは複数の基地局１０５の例であり得る。一例では、第１のｅＮＢ２０５は、ＵＥ２１５に対してユーザプレーンプロトコル終端と制御プレーンプロトコル終端とを与え得る。ＵＥ２１５は、図１において説明されたＵＥ２１５のうちの１つまたは複数の一例であり得る。第１のｅＮＢ２０５−ａは、Ｘ２インターフェース（たとえば、バックホール）を介して他のｅＮＢ２０５−ｂに接続され得る。第１のｅＮＢ２０５−ａは、ＵＥ２１５にＥＰＣ２３０へのアクセスポイントを与え得る。第１のｅＮＢ２０５−ａはＳ１インターフェースによってＥＰＣ２３０に接続され得る。ＥＰＣ２３０は、１つまたは複数のモビリティ管理エンティティ（ＭＭＥ：Mobility Management Entity）２３２と、１つまたは複数のサービングゲートウェイ２３４と、１つまたは複数のパケットデータネットワーク（ＰＤＮ：Packet Data Network）ゲートウェイ２３６とを含み得る。ＭＭＥ２３２は、ＵＥ２１５とＥＰＣ２３０との間のシグナリングを処理する制御ノードであり得る。概して、ＭＭＥ２３２はベアラおよび接続管理を行い得る。ユーザＩＰパケットが、１つまたは複数のＰＤＮゲートウェイ２３６に接続され得る、１つまたは複数のサービングゲートウェイ２３４を通して転送され得る。１つまたは複数のＰＤＮゲートウェイ２３６は、ＵＥのＩＰアドレス割振りならびに他の機能を与え得る。１つまたは複数のＰＤＮゲートウェイ２３６は事業者のＩＰサービス２２２に接続され得る。事業者のＩＰサービス２２２は、インターネット、イントラネット、ＩＰマルチメディアサブシステム（ＩＭＳ：IP Multimedia Subsystem）、および／またはパケット交換（ＰＳ：PS-Switched）ストリーミングサービス（ＰＳＳ：PS Streaming Service）を含み得る。
【００２７】
[0037]ＵＥ２１５は、たとえば、多入力多出力（ＭＩＭＯ：Multiple Input Multiple Output）、多地点協調（ＣｏＭＰ：Coordinated Multi-Point）、または他の方式を通して、第１のｅＮＢ２０５−ａおよび他のｅＮＢ２０５−ｂと共同的に通信し得る。ＭＩＭＯ技法は、複数のデータストリームを送信するためにマルチパス環境を利用するために、基地局上の複数のアンテナおよび／またはＵＥ上の複数のアンテナを使用する。ＣｏＭＰは、ＵＥのための全体的送信品質を改善し、ならびにネットワークおよびスペクトル利用を増加させるための、いくつかのｅＮＢによる送信および受信の動的協調のための技法を含む。
【００２８】
[0038]図３は、本開示の様々な態様による、ＵＥ３１５の一例を示すブロック図３００である。ＵＥ３１５は、図１および／または図２のＵＥ１１５、２１５のうちの１つまたは複数の一例であり得る。ＵＥ３１５は、受信機モジュール３０５と、接続要求制御モジュール３１０と、送信機モジュール３２０とを含み得る。これらの構成要素の各々は互いと通信していることがある。
【００２９】
[0039]ＵＥ３１５のこれらの構成要素は、個別にまたは集合的に、ハードウェア中の適用可能な機能の一部または全部を実施するために適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。
【００３０】
[0040]一例では、受信機モジュール３０５は、セルラー受信機を含み得、基地局（たとえば、図１の基地局１０５または図２のｅＮＢ２０５のうちの１つ）に接続するための要求に対する応答を受信し得る。接続要求制御モジュール３１０は、ワイヤレス通信ネットワークにおいて基地局に接続するための要求の送信を制御し得る。一例では、ＵＥ３１５は、送信機モジュール３２０を介して接続要求を送信し得る。一例では、送信機モジュール３２０は、基地局にデータと制御シグナリングとを送信するために構成されたセルラー送信機を含み得る。一例では、基地局は、ＵＥ３１５から送信された接続要求に応答しないことがある。たとえば、基地局は、接続要求を受信しないことがあるか、または接続要求に応答するにはあまりに輻輳していることがある。別の例では、基地局は、ＵＥ３１５から接続要求を受信したことに応答して接続拒否を送信し得る。接続拒否は、輻輳していることがある基地局のカバレージエリア（たとえば、セル）（たとえば、セルが一定数のアクティブＵＥをすでに含む）ときに送られ得る。セルが、基地局とアクティブに通信するあまりに多くのＵＥを有する場合、基地局への／からの通信信号は劣化し得、これらの通信信号を介して送信される情報は予定受信者に到達しないことがある。さらに、そのような通信信号のレイテンシが、輻輳したネットワークにおいて増加され得る。その結果、接続要求制御モジュール３１０は、基地局への制御要求の送信を制御し得る。これらの制御要求の送信を制御することは、輻輳したネットワークにさらなる輻輳が追加されるのを防ぎ得る。さらに、接続要求制御モジュール３１０は、ネットワークの瞬間的輻輳の潜在的期間を識別し、短い時間期間が過ぎた後、接続要求が再開することを可能にし得る。接続要求制御モジュール３１０に関する詳細が以下で説明される。
【００３１】
[0041]図４は、本開示の様々な態様による、接続要求制御モジュール４１０の一例を示すブロック図４００である。図４の接続要求制御モジュール４１０は、図３において説明された接続要求制御モジュール３１０の一例であり得る。接続要求制御モジュール４１０は、受信機モジュール４０５および送信機モジュール４２０と通信していることがある。一例では、接続要求制御モジュール４１０は、接続失敗検出モジュール４２５と、接続失敗クリアモジュール（connection failure clearing module）４３０と、接続要求保留モジュール（connection request withholding module）４３５とを含み得る。これらの構成要素の各々は互いと通信していることがある。
【００３２】
[0042]これらの構成要素は、個別にまたは集合的に、ハードウェア中の適用可能な機能の一部または全部を実施するために適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。
【００３３】
[0043]一例では、受信機モジュール４０５は、送信機モジュール４２０を介して送信された、基地局（たとえば、図１または図２の基地局１０５および／またはｅＮＢ２０５のうちの１つ）に接続するための要求に応答してメッセージを受信し得る。接続失敗検出モジュール４２５は、受信されたメッセージが接続失敗メッセージであるかどうかを判断し得る。接続失敗メッセージは、基地局に接続するＵＥの失敗を表し得る。別の構成では、受信機モジュール４０５は、送信機モジュール４２０を介して送信された、基地局に接続するための要求に応答してメッセージを受信しないことがある。また、接続失敗検出モジュール４２５は、応答タイマーの満了に基づいて、接続失敗が発生したと判断し得る。接続失敗が判断されたとき、接続失敗クリアモジュール４３０は、以前受信された接続失敗メッセージに関係する情報をクリアすべきか（すなわち、忘れるべきか）どうかを判断し得る。一例では、接続要求制御モジュール４１０は、受信された接続失敗メッセージに関係する情報を維持し得る。接続失敗クリアモジュール４３０は、各以前受信された失敗メッセージのための情報（または以前受信された失敗メッセージのサブセットのための情報）がＵＥのメモリからクリアされるべきであるかどうかを判断し得る。
【００３４】
[0044]接続要求保留モジュール４３５は、１つまたは複数の接続失敗メッセージの受信時に、将来の接続要求の送信を保留すべき時間期間を判断し得る。一例では、接続要求保留モジュール４３５は、ある時間期間（たとえば、保留時間期間）の間、将来のメッセージを保持し得る。将来の接続要求の送信は、ネットワークへの輻輳の追加を防ぐために保留され得る。保留時間期間の満了に続いて、接続要求保留モジュール４３５は、接続要求の送信が送信機モジュール４２０を介して再開することを可能にし得る。接続失敗検出モジュール４２５、接続失敗クリアモジュール４３０、および接続要求保留モジュール４３５に関する詳細が以下で説明される。
【００３５】
[0045]図５は、本開示の様々な態様による、ワイヤレス通信システムにおいてネットワーク輻輳を低減するための様々なモジュールの一例を示すブロック図５００である。詳細には、図５は、接続失敗検出モジュール５２５、接続失敗クリアモジュール５３０、接続要求保留モジュール５３５、送信機モジュール５２０の一例を示している。接続失敗検出モジュール５２５、接続失敗クリアモジュール５３０、接続要求保留モジュール５３５、および送信機モジュール５２０は、それぞれ、図４において説明された接続失敗検出モジュール４２５、接続失敗クリアモジュール４３０、接続要求保留モジュール４３５、および送信機モジュール４２０の例であり得る。接続失敗検出モジュール５２５、接続失敗クリアモジュール５３０、接続要求保留モジュール５３５、および送信機モジュール５２０は、ＵＥ（たとえば、図１のＵＥ１１５のうちの１つまたは複数、図２のＵＥ２１５、および／または図３のＵＥ３１５）内で実施され得る。
【００３６】
[0046]図５に示された構成要素は、個別にまたは集合的に、ハードウェア中の適用可能な機能の一部または全部を実施するために適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実施され得る。他の例では、当技術分野で知られている任意の様式でプログラムされ得る他のタイプの集積回路（たとえば、ストラクチャードＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるためにフォーマットされた、メモリ中に組み込まれた命令を用いて実装され得る。
【００３７】
[0047]一例では、接続失敗検出モジュール５２５は、拒否検出モジュール５４０とタイマー満了検出モジュール５４５とを含み得る。拒否検出モジュール５４０は、接続要求メッセージに応答して接続拒否メッセージが受信されたときを検出し得る。一例では、タイマー満了検出モジュール５４５は、接続要求に対する応答が受信されていない時間期間が満了したときを検出し得る。接続失敗検出モジュール５２５は、これらのイベントのいずれかが発生したとき（たとえば、接続拒否メッセージの受信、および／または、応答が受信されなかった時間期間の満了）を検出し得、各イベントを接続失敗として分類し得る。
【００３８】
[0048]接続失敗クリアモジュール５３０は、以前受信された接続失敗に関係する記憶された情報をいつクリアすべきかを判断し得る。一例では、これは、発生した接続失敗のカウントを維持するカウンタをリセットすることを含み得る。これは、以前受信された接続失敗に関係する情報を記憶するメモリロケーションをクリアすることをも含み得る。接続失敗クリアモジュール５３０は、カウンタ分析モジュール５５０と、接続失敗タイムスタンプ比較モジュール５５５と、カウンタリセットモジュール５６０と、タイムスタンプクリアモジュール５６５とを含み得る。
【００３９】
[0049]一例では、接続失敗検出モジュール５２５が接続失敗の発生を検出したとき、カウンタ分析モジュール５５０は、接続失敗のカウントを維持するカウンタの現在値を識別し得る。一例では、カウンタはカウンタ分析モジュール５５０中に含まれ得る。別の例では、カウンタは、接続失敗クリアモジュール５３０の１つまたは複数のモジュールおよび／または接続要求保留モジュール５３５の１つまたは複数のモジュール通信しているカウンタモジュール中に含まれ得る。カウンタ分析モジュール５５０は、カウンタの値が０などのある値に等しいかどうかを判断し得る。一例では、カウンタの値が０であると判断された場合、接続失敗タイムスタンプ比較モジュール５５５は、検出された接続失敗のタイムスタンプを第１の接続失敗として最も早い失敗データフィールドに記憶し得、カウンタの値は１に増分され得る。しかしながら、カウンタの値が０よりも大きい値であると判断された場合、接続失敗タイムスタンプ比較モジュール５５５は、現在の（たとえば、第２の、検出された）接続失敗のタイムスタンプを、以前発生した（たとえば、第１の）接続失敗（たとえば、第１の接続失敗）の以前記憶されたタイムスタンプと比較し得る。その比較の結果に基づいて、接続失敗クリアモジュール５３０は、接続失敗をクリアすることを判断し得、または、接続要求保留モジュール５３５は、将来の接続要求を保留することを判断し得る。
【００４０】
[0050]接続失敗クリアモジュール５３０が、接続失敗をクリアすることを判断した（たとえば、以前記憶されたタイムスタンプと現在の接続失敗のタイムスタンプとの間の間隔がしきい値を満たす）場合、カウンタリセットモジュール５６０は、カウンタの値を０などのある値にリセットし得る。さらに、タイムスタンプクリアモジュール５６５は、以前受信されたタイムスタンプに関係する記憶された情報を消去またはクリアし得る。別の例では、接続失敗クリアモジュール５３０は、直近接続失敗のタイムスタンプと以前記憶されたタイムスタンプとの間の間隔に少なくとも部分的に基づいて、１つまたは複数の以前の接続失敗に関連する重みを調整し得る。たとえば、より短い間隔で連続する接続失敗が、より長い間隔で連続する接続失敗よりも高く重み付けされ得る。一例では、しきい値判断は重み付けされたデータ（たとえば、重み付けされたタイムスタンプ）に基づき得る。
【００４１】
[0051]接続要求保留モジュール５３５が、将来の接続要求を保持することを判断した（たとえば、以前記憶されたタイムスタンプと現在の接続失敗のタイムスタンプとの間の間隔がしきい値を満たさない）場合、接続要求保留モジュール５３５は、そのような要求が、ある時間期間の間、基地局に送信されるのを防ぎ得る。一例では、接続要求保留モジュール５３５は、タイムスタンプ更新モジュール５７０と、カウンタ比較モジュール５７５と、保留タイムスタンプ比較モジュール５８０と、バックオフ開始モジュール５８５と、タイムバー開始モジュール（time bar initiation module）５９０と、セル再選択開始モジュール５９５とを含み得る。
【００４２】
[0052]一例では、タイムスタンプ更新モジュール５７０は、接続失敗の受信されたタイムスタンプのための情報を記憶するメモリロケーションを更新し得る。たとえば、メモリは、ある時間期間中に受信された第１のタイムスタンプに関係する情報を記憶する最も早い失敗データフィールドを含み得る。メモリは、直近接続失敗発生の第２のタイムスタンプに関係する情報を記憶する最後失敗データフィールドをも含み得る。新しい接続失敗が検出されたとき、タイムスタンプ更新モジュール５７０は、この新しい接続失敗のタイムスタンプに関係する情報で最後失敗データフィールドを更新し得る。カウンタ比較モジュール５７５は、発生した接続失敗の数を示すカウンタの値をカウンタしきい値と比較し得る。その比較の結果に基づいて、保留タイムスタンプ比較モジュール５８０は、直近に検出された接続失敗のタイムスタンプ（たとえば、第２のタイムスタンプ）を、ある時間期間中に最初に検出された接続失敗のタイムスタンプ（たとえば、第１のタイムスタンプ）と比較し得る。
【００４３】
[0053]一例では、バックオフ開始モジュール５８５はバックオフタイマーを開始し得る。バックオフタイマーは、将来の接続要求が基地局に送信されるのを保留される第１の時間期間を表し得る。一例では、タイムバー開始モジュール５９０は、将来の接続要求が保留される第２の時間期間を表すタイムバータイマー（time bar timer）を開始し得る。第２の時間期間（すなわち、禁止時間）は第１の時間期間（すなわち、バックオフ時間）よりも長いことがある。バックオフタイマーを開始すべきなのかタイムバータイマーを開始すべきなのかの判断は、保留タイムスタンプ比較モジュール５８０によって実施されたタイムスタンプ比較の結果に依存し得る。たとえば、第１のタイムスタンプ（たとえば、最も早い失敗データ）と第２のタイムスタンプ（たとえば、最後失敗データ）との間の間隔が１分などのしきい値よりも小さいとき、バックオフ開始モジュール５８５はバックオフタイマーを開始し得、第１のタイムスタンプと第２のタイムスタンプとの間の間隔がしきい値よりも大きいとき、タイムバー開始モジュール５９０はタイムバータイマーを開始し得る。一例では、バックオフタイマーのための時間期間はしきい値−間隔に等しいことがある。バックオフタイマーまたはタイムバータイマーの満了時に、接続要求保留モジュール５３５は、接続要求が送信機モジュール５２０を介して基地局にもう一度送信されることを可能にし得る。
【００４４】
[0054]一例では、バックオフ時間および／または禁止時間中に、セル再選択開始モジュール５９５は、異なるセル（たとえば、異なる基地局）を再選択するためにＵＥ上でプロシージャを開始し得る。たとえば、セル再選択プロシージャが開始されるとき、ＵＥは、許容できる信号強度をもつ異なるセルを識別し得る。ＵＥは、セル再選択を実施するために、識別されたセルに接続要求メッセージを送信し始め得る。一例では、接続要求保留モジュール５３５は、各セルに関して独立して動作し得る。
【００４５】
[0055]図６は、本開示の様々な態様による、ｅＮＢ６０５とＵＥ６１５との間の接続プロシージャのメッセージフロー図６００である。ｅＮＢ６０５は、図１の基地局１０５のうちの１つまたは複数および／または図２のｅＮＢ２０５−ａ、２０５−ｂのうちの１つまたは複数の一例であり得る。ＵＥ６１５は、図１のＵＥ１１５のうちの１つまたは複数、図２のＵＥ２１５、および／または図３のＵＥ３１５の一例であり得る。
【００４６】
[0056]一例では、ｅＮＢ６０５からＵＥ６１５に送信される制御メッセージが、ｅＮＢ６０５内の無線リソース制御（ＲＲＣ）構成要素から発信し得る。ＲＲＣは、ＵＥ６１５がセルと通信することができるために必要なシステム情報のブロードキャスト、ネットワークから発信した着信接続要求についてＵＥ６１５に通知するためのページングメッセージの送信、接続管理、セル（再）選択、ＵＥ６１５機能の処理などを含む、無線アクセスネットワーク（ＲＡＮ）プロシージャを処理し得る。
【００４７】
[0057]一例では、ＵＥ６１５は、ＲＲＣ＿ＣＯＮＮＥＣＴＥＤ状態またはＲＲＣ＿ＩＤＬＥ状態のいずれかにあり得る。ＲＲＣ＿ＣＯＮＮＥＣＴＥＤ状態では、ＵＥ６１５とＲＡＮとの間の通信のために必要とされるパラメータがＵＥ６１５とネットワークの両方によって知られている。ＲＲＣ＿ＣＯＮＮＥＣＴＥＤ状態にある間、データはＵＥ６１５へ／から転送され得る。ＵＥ６１５からのアップリンクがネットワークと同期される場合、ＵＥ６１５は同期であると見なされ得る。逆に、アップリンクが同期されない場合、ＵＥ６１５は同期外れであると見なされる。たとえば、ある時間期間内にアップリンク送信が発生しなかった場合、アップリンクとネットワークとの間のタイミング整合は発生しないことがあり、アップリンクはネットワークのタイミングと同期外れになる。
【００４８】
[0058]ＲＲＣ＿ＩＤＬＥ状態にある間、ＵＥ６１５への／からのデータの転送は発生しないことがある。ＵＥ６１５がＲＲＣ＿ＩＤＬＥ状態にあり、および／またはネットワークと同期外れであるとき、ＵＥ６１５は、アップリンクデータまたは制御情報の送信より前に、アップリンク同期を復元するためにランダムアクセスプロシージャを実施し得る。このプロシージャの一部として、ＵＥ６１５は、ｅＮＢ６０５にランダムアクセスプリアンブル６２０を送信し得る。ランダムアクセスプリアンブル６２０は、ｅＮＢ６０５にランダムアクセス試行の存在を示し得、また、ｅＮＢ６０５がｅＮＢ６０５とＵＥ６１５との間の遅延を推定することを可能にし得る。
【００４９】
[0059]ランダムアクセスプリアンブル６２０の送信に応答して、ｅＮＢ６０５はランダムアクセス応答６２５を送信し得る。ランダムアクセス応答６２５は、ネットワークが検出したランダムアクセスプリアンブルシーケンスのインデックスと、ｅＮＢ６０５のランダムアクセスプリアンブル受信機によって計算されたタイミング補正情報とを含み得る。ＵＥ６１５は、タイミング補正情報に従ってアップリンクのタイミングを調整し、ｅＮＢ６０５に第１のＲＲＣ接続要求６３０を送信し得る。一例では、第１のＲＲＣ接続要求６３０は、ＵＥ６１５のための識別子を含み得る。ＵＥ６１５がＲＲＣ＿ＣＯＮＮＥＣＴＥＤ状態にある場合、識別子がＵＥ６１５に割り当てられている。他の場合、コアネットワーク識別子が使用され得る。さらに、ＵＥ６１５がＲＲＣ＿ＩＤＬＥ状態にある場合、ｅＮＢ６０５は、第１のＲＲＣ接続要求６３０に応答するより前にコアネットワークと通信し得る。たとえば、ｅＮＢ６０５は、６３５において、ネットワークが輻輳していると判断し、追加のＵＥがこの特定のｅＮＢ６０５と通信するためのアクセスを許可されるべきでないと判断し得る。その結果、ｅＮＢ６０５は、ＲＲＣ接続拒否６４０で第１のＲＲＣ接続要求６３０に応答し得る。別の例では、ｅＮＢ６０５は、単に第１のＲＲＣ接続要求６３０を無視し、その要求に応答しないことがある。
【００５０】
[0060]ＲＲＣ接続拒否６４０を受信すると（または応答タイマーの満了時に）、ＵＥ６１５は、６４５において、ＲＲＣ接続拒否６４０のタイムスタンプ（または応答タイマーの満了に関連するタイムスタンプ）を分析し得る。この分析に基づいて、ＵＥ６１５は、６５０において、１つまたは複数の以前の接続失敗のカウンタを変更するか、または接続要求保留タイマー（たとえば、バックオフタイマーまたはタイムバータイマー）を開始し得る。たとえば、ＵＥ６１５は、第２のＲＲＣ接続要求６５５を送信する前に特定の時間期間の間、バックオフし得る。また、保留タイマーは、バックオフ時間期間よりも長いことがある、禁止時間の間、ＵＥ６１５が第２のＲＲＣ接続要求６５５の送信を保留することを含み得る。ＵＥ６１５がタイムバータイマーを開始する場合、ＵＥ６１５は、異なるセルを選択し、新しいセルとの接続プロシージャを始めるために、再選択プロセスを開始し得る。一例では、第２のＲＲＣ接続要求６５５は、接続失敗カウンタをクリアした後に、バックオフ時間の満了において、および／またはタイムバータイマーの満了において、ｅＮＢ６０５に送信され得る。
【００５１】
[0061]図７は、本開示の様々な態様による、基地局７０５とＵＥ７１５とを含むＭＩＭＯ通信システム７００のブロック図である。このＭＩＭＯ通信システム７００は、図１のワイヤレス通信システム１００および／または図２のＥＰＳ２００の態様を示し得る。基地局７０５は基地局アンテナ７３４1〜７３４xを装備し得、ＵＥ７１５はＵＥアンテナ７５２1〜７５２nを装備し得、ただし、ｘおよびｎは正の整数である。ＭＩＭＯ通信システム７００では、基地局７０５は、同時に複数の通信リンクを介してデータを送ることが可能であり得る。各通信リンクは「レイヤ」と呼ばれることがあり、通信リンクの「ランク」は、通信のために使用されるレイヤの数を示し得る。たとえば、基地局７０５が２つの「レイヤ」を送信する２×２  ＭＩＭＯシステムでは、基地局７０５とＵＥ７１５との間の通信リンクのランクは２である。
【００５２】
[0062]基地局７０５において、基地局送信プロセッサ７２０が、基地局データソースからデータを受信し得る。基地局送信プロセッサ７２０はそのデータを処理し得る。基地局送信プロセッサ７２０はまた、基準シンボルと、セル固有基準信号とを生成し得る。基地局送信（ＴＸ）ＭＩＭＯプロセッサ７３０が、適用可能な場合、データシンボル、制御シンボル、および／または基準シンボルに対して空間処理（たとえば、プリコーディング）を実施し得、出力シンボルストリームを基地局変調器／復調器７３２1〜７３２xに与え得る。各基地局変調器／復調器７３２は、出力サンプルストリームを取得するために、（たとえば、ＯＦＤＭなどのために）それぞれの出力シンボルストリームを処理し得る。各基地局変調器／復調器７３２はさらに、ダウンリンク信号を取得するために、出力サンプルストリームを処理（たとえば、アナログへの変換、増幅、フィルタ処理、およびアップコンバート）し得る。一例では、基地局変調器／復調器７３２1〜７３２xからのダウンリンク信号は、それぞれ基地局アンテナ７３４1〜７３４xを介して送信され得る。
【００５３】
[0063]ＵＥ７１５において、ＵＥアンテナ７５２1〜７５２nは、基地局７０５からＤＬ信号を受信し得、受信信号をそれぞれＵＥ変調器／復調器７５４1〜７５４nに与え得る。各ＵＥ変調器／復調器７５４は、入力サンプルを取得するために、それぞれの受信信号を調整（たとえば、フィルタ処理、増幅、ダウンコンバート、およびデジタル化）し得る。各ＵＥ変調器／復調器７５４はさらに、受信シンボルを取得するために、（たとえば、ＯＦＤＭなどのために）入力サンプルを処理し得る。ＵＥ  ＭＩＭＯ検出器７５６が、すべてのＵＥ変調器／復調器７５４1〜７５４nから受信シンボルを取得し、適用可能な場合は受信シンボルに対してＭＩＭＯ検出を実施し、検出シンボルを与え得る。ＵＥ受信プロセッサ７５８が、検出シンボルを処理（たとえば、復調、デインターリーブ、および復号）し、ＵＥ７１５のための復号されたデータをＵＥデータ出力に与え、復号された制御情報をＵＥプロセッサ７８０、および／またはＵＥメモリ７８２に与え得る。一例では、ＵＥプロセッサ７８０は、本明細書で説明されるシステムおよび方法を実装するために接続失敗クリアモジュール４３０と接続要求保留モジュール４３５とを含み得る。接続失敗クリアモジュール４３０および接続要求保留モジュール４３５は、図４および／または図５の、それぞれ接続失敗クリアモジュール４３０および接続要求保留モジュール４３５の例であり得る。
【００５４】
[0064]アップリンク（ＵＬ）上で、ＵＥ７１５において、ＵＥ送信プロセッサ７６４が、ＵＥデータソースからデータを受信し、処理し得る。ＵＥ送信プロセッサ７６４はまた、基準信号のための基準シンボルを生成し得る。ＵＥ送信プロセッサ７６４からのシンボルは、適用可能な場合はＵＥ送信ＭＩＭＯプロセッサ７６６によってプリコーディングされ、さらに（たとえば、ＳＣ−ＦＤＭＡなどのために）ＵＥ変調器／復調器７５４1〜７５４nによって処理され、基地局７０５から受信された送信パラメータに従って基地局７０５に送信され得る。基地局７０５において、ＵＥ７１５からのＵＬ信号は、基地局アンテナ７３４によって受信され、基地局変調器／復調器７３２によって処理され、適用可能な場合は基地局ＭＩＭＯ検出器７３６によって検出され、さらに基地局受信プロセッサ７３８によって処理され得る。基地局受信プロセッサ７３８は、復号されたデータをデータ出力に与え、基地局プロセッサ７４０および／または基地局メモリ７４２に与え得る。
【００５５】
[0065]ＵＥ７１５の構成要素は、個別にまたは集合的に、ハードウェア中の適用可能な機能の一部または全部を実施するために適応された１つまたは複数の特定用途向け集積回路（ＡＳＩＣ）を用いて実装され得る。言及されたモジュールの各々は、ＭＩＭＯ通信システム７００の動作に関係する１つまたは複数の機能を実施するための手段であり得る。同様に、基地局７０５の構成要素は、個別にまたは集合的に、ハードウェア中の適用可能な機能の一部または全部を実施するために適応された１つまたは複数の特定用途向け集積回路（ＡＳＩＣ）を用いて実装され得る。言及された構成要素の各々は、ＭＩＭＯ通信システム７００の動作に関係する１つまたは複数の機能を実施するための手段であり得る。
【００５６】
[0066]様々な開示される例のうちのいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを実施し得る。媒体アクセス制御（ＭＡＣ：Medium Access Control）レイヤが、優先度処理と、トランスポートチャネルへの論理チャネルの多重化とを実施し得る。ＭＡＣレイヤはまた、リンク効率を改善するためにＭＡＣレイヤにおいて再送信を行うためにハイブリッドＡＲＱ（ＨＡＲＱ：Hybrid ARQ）を使用し得る。物理レイヤにおいて、トランスポートチャネルは物理チャネルにマッピングされ得る。
【００５７】
[0067]図８は、本開示の様々な態様による、１つまたは複数の以前の接続失敗に関係する情報をクリアするための方法８００の一例を示すフローチャートである。明快のために、方法８００は、ＵＥ（たとえば、図１のＵＥ１１５のうちの１つまたは複数、図２のＵＥ１１５、図３のＵＥ３１５、および／または図６のＵＥ６１５）に関して以下で説明される。一実装形態では、図３、図４、および／または図５の接続要求制御モジュール３１０は、以下で説明される機能を実施するためにＵＥの機能要素を制御するためのコードの１つまたは複数のセットを実行し得る。
【００５８】
[0068]ブロック８０５において、第２の接続失敗が検出され得る。第２の接続失敗の検出はＲＲＣ接続拒否メッセージの受信であり得る。代替的に、第２の接続失敗の検出は、ＬＴＥシステムにおいて使用されるＴ３００タイマーの満了など、応答タイマーの満了に少なくとも部分的に基づき得る。Ｔ３００タイマーは、ＵＥが、基地局に送信されたＲＲＣ接続要求メッセージに対する応答を待つ、時間の長さを定義する。
【００５９】
[0069]ブロック８１０において、第２の接続失敗のタイムスタンプと第１の接続失敗の以前記憶されたタイムスタンプとの間の差が計算され得る。計算された差は第１の時間しきい値と比較され得る。上記差が第１の時間しきい値を満たすと判断すると、ブロック８１５において、１つまたは複数の以前の接続失敗に関係する記憶された情報が変更され得る。一例では、接続失敗のカウントを維持するカウンタが０などの値にリセットされ得る。さらに、以前の接続失敗のための以前記憶されたタイムスタンプがＵＥ１１５上のメモリロケーションから削除され得る。
【００６０】
[0070]したがって、方法８００は、以前の接続失敗に関係する情報をクリアする（すなわち、忘れる）ことを提供し得る。方法８００は一実装形態にすぎないこと、および方法８００の動作は、他の実装形態が可能であるように、並べ替えられるかまたは場合によっては変更され得ることに留意されたい。
【００６１】
[0071]図９は、本開示の様々な態様による、ある時間期間の間、将来の接続要求を保留するための方法９００の一例を示すフローチャートである。明快のために、方法９００は、ＵＥ（たとえば、図１のＵＥ１１５のうちの１つまたは複数、図２のＵＥ１１５、図３のＵＥ３１５、および／または図６のＵＥ６１５）に関して以下で説明される。一実装形態では、図３、図４、および／または図５の接続要求制御モジュール３１０は、以下で説明される機能を実施するためにＵＥ１１５の機能要素を制御するためのコードの１つまたは複数のセットを実行し得る。
【００６２】
[0072]ブロック９０５において、ある時間期間が識別され得る。ブロック９１０において、上記時間期間中に発生する、セルからの接続失敗の数が識別され得る。たとえば、カウンタが、上記時間期間中に発生する接続失敗の数を維持し得る。ブロック９１５において、接続失敗の数がしきい値を満たすかどうかに関する判断が行われる。９２０において、接続失敗の数がしきい値を満たすと判断すると、ある時間期間の間、将来の接続要求が保留され得る。上記時間期間はバックオフ時間または禁止時間であり得る。一例では、バックオフ時間は禁止時間よりも短いことがある。
【００６３】
[0073]したがって、方法９００は、接続要求のアップリンク送信によって引き起こされるネットワーク輻輳を低減するために、ある時間期間の間、将来の接続要求が基地局に送信されるのを保留することを提供し得る。方法９００は一実装形態にすぎないこと、および方法９００の動作は、他の実装形態が可能であるように、並べ替えられるかまたは場合によっては変更され得ることに留意されたい。
【００６４】
[0074]図１０は、本開示の様々な態様による、以前の接続失敗に関係する情報をクリアすること、および／または、ある時間期間の間、将来の接続要求を保留することによって、ネットワークにおいて輻輳を低減するための方法１０００の一例を示すフローチャートである。明快のために、方法１０００は、ＵＥ（たとえば、図１のＵＥ１１５のうちの１つまたは複数、図２のＵＥ１１５、図３のＵＥ３１５、および／または図６のＵＥ６１５）に関して以下で説明される。一実装形態では、図３、図４、および／または図５の接続要求制御モジュール３１０は、以下で説明される機能を実施するためにＵＥの機能要素を制御するためのコードの１つまたは複数のセットを実行し得る。
【００６５】
[0075]ブロック１００５において、現在の接続失敗の発生が検出され得る。上記発生は、ＲＲＣ接続要求メッセージに応答したＲＲＣ接続拒否メッセージの受信によって検出され得る。上記発生は、追加または代替として、限定はしないが、ＬＴＥシステムにおいて使用されるＴ３００タイマーなど、応答タイマーの満了においてＲＲＣ応答の受信不能によって検出され得る。
【００６６】
[0076]現在の接続失敗の発生を検出すると、カウンタが０に等しいかどうかに関する判断１０１０が行われ得る。カウンタは、発生した接続失敗のカウントを維持する。カウンタが０に等しい（すなわち、現在の接続失敗が、ある時間期間中の最も早い検出された接続失敗である）と判断された場合、ブロック１０２５において、現在の失敗のタイムスタンプが最も早い失敗データフィールドと最後失敗データフィールドとに記憶され得る。ブロック１０３０において、カウンタは１に増分し得る。
【００６７】
[0077]しかしながら、カウンタが０に等しくない場合、現在の接続失敗のタイムスタンプと以前の接続失敗のタイムスタンプ（最後失敗データフィールドに記憶されたタイムスタンプ）との間の差が時間しきい値よりも大きいかどうかに関する判断１０１５が行われ得る。判断１０１５は、現在の接続失敗のタイムスタンプと以前の接続失敗のタイムスタンプとの間の差が時間しきい値よりも大きいかどうかに関するものであり得ることに留意されたい。
【００６８】
[0078]一例として、時間しきい値は１分に等しいことがある。現在の接続失敗のタイムスタンプと以前の接続失敗のタイムスタンプとの間の差が時間しきい値よりも大きいと判断された場合、ブロック１０２０において、カウンタは０にリセットされ得、ブロック１０２５において、現在の失敗のタイムスタンプは最も早い失敗データフィールドと最後失敗データフィールドとに記憶さ得、ブロック１０３０において、カウンタは１に増分またはリセットされ得る。したがって、ある時間期間（たとえば、時間しきい値）の後に接続失敗が検出されたとき、以前の接続失敗に関係する情報がクリアされ得る（たとえば、タイマーをリセットする）。
【００６９】
[0079]しかしながら、１０１５において、タイムスタンプ間の差が時間しきい値よりも大きくないと判断された場合、ブロック１０３５において、最後失敗データフィールドは現在の接続失敗のタイムスタンプで更新され得る。ブロック１０４０において、カウンタは増分され得る。カウンタがカウンタしきい値よりも大きいかまたはそれに等しいかどうかに関する判断１０４５が行われ得る。カウンタがカウンタしきい値よりも大きくないかまたはそれに等しくないと判断された場合、方法１０００は、（カウンタをリセットすることなしに）別の接続失敗の発生を検出するためにブロック１００５に戻り得る。しかしながら、カウンタがカウンタしきい値よりも大きいかまたはそれに等しいと判断された場合、最後失敗データフィールドに記憶されたタイムスタンプと最も早い失敗データフィールドに記憶されたタイムスタンプとの間の差が時間しきい値よりも大きいかどうかに関する判断１０５０が行われ得る。上記差が時間しきい値よりも大きいと判断された場合、１０５５において、禁止時間の間、将来の接続要求が送信されるのを保留され得る。一例では、禁止時間はＥＦＳを介して構成可能であり得る。ブロック１０６０において、セル再選択を実施するために（上記で説明されたように）同期外れ（ＯＯＳ：out-of synchronization）状態がトリガされ得る。
【００７０】
[0080]一例では、セル再選択が発生するとき、以前の接続失敗に関係する記憶された情報がＵＥのメモリからクリアされ得る。別の例では、セル再選択において、ＵＥは、１つまたは複数の以前の接続失敗に関係する記憶された情報を保持し得る。
【００７１】
[0081]いくつかの例では、ＵＥは、特定のセル（「元のセル」）のカバレージエリアに戻り、このセルをサービスする基地局との接続を確立するためにＲＲＣプロシージャを実施し得る。そのセルに戻ると、（元のセルからの）接続失敗の現在のタイムスタンプと、セル再選択の前に（すなわち、ＵＥが元のセルのカバレージエリアを出る前に）発生した以前の接続失敗の記憶されたタイムスタンプとの間の差かどうかに関する判断が行われ得る。上記差がしきい値を下回ると判断された場合、以前の接続失敗の記憶されたタイムスタンプは現在の接続失敗のタイムスタンプと交換され得る。さらに、接続失敗のカウンタが更新され得る。しかしながら、上記差がしきい値を超えると判断された場合、元のセルからの１つまたは複数の以前の接続失敗に関係する記憶された情報がクリアされ得る。
【００７２】
[0082]判断１０５０に戻ると、最後失敗データフィールドに記憶されたタイムスタンプと最も早い失敗データフィールドに記憶されたタイムスタンプとの間の差が時間しきい値よりも大きくない場合、接続失敗が、ＲＲＣ接続拒否メッセージなど、接続拒否メッセージの受信から検出されたかどうかに関する判断１０６５が行われ得る。上記失敗がＲＲＣ接続拒否メッセージの受信から検出された場合、第１の時間値が第２の時間値よりも大きいかどうかに関する判断１０７０が行われ得る。一例では、第１の時間値は、時間しきい値（たとえば、１分）と、最後失敗のタイムスタンプと最も早い失敗のタイムスタンプとの間の差との間の差（すなわち、時間しきい値−最後失敗と最も早い失敗との間の差）を含み得る。第２の時間値は、接続失敗を受信するとＵＥによって開始されるタイマーとレイテンシ値とを含み得る。タイマーは、ＵＥ１１５がＲＲＣ接続拒否の発生を検出したときに開始される、Ｔ３０２タイマーであり得る。レイテンシ値は、０から、接続確立プロシージャに必要とされる最小時間の間の値（たとえば、１秒）であり得る。
【００７３】
[0083]１０７０において、第１の時間値が第２の時間値よりも大きいと判断された場合、ブロック１０８０において、バックオフ時間の間、将来の接続要求が保留され得る。一例では、バックオフ時間は、上記で説明された第１の時間値（すなわち、時間しきい値−最後失敗と最も早い失敗との間の差）であり得る。一例として、時間しきい値は１分であり得る。最も早い失敗のタイムスタンプは、その時間期間の最も早い接続失敗が００秒において受信されたことを示し得、最後失敗のタイムスタンプは、現在の拒否が１０秒において受信されたこと（すなわち、１０秒の差）を示し得る。したがって、この例では、バックオフ時間は５０秒（６０秒−１０秒）である。
【００７４】
[0084]しかしながら、１０７０において、第１の時間値が第２の時間値よりも大きくないと判断された場合、第１の時間値が第３の時間値よりも大きいかどうかに関する判断１０７５が行われ得る。第３の時間値はレイテンシ値であり得る。第１の時間値が第３の時間値よりも大きい場合、ブロック１０８０において、バックオフ時間の間、将来の接続要求が保留され得る。しかしながら、第１の時間値が第３の時間値よりも大きくないと判断された場合、方法１０００は、別の接続失敗の発生を検出するためにブロック１００５に戻り得る。
【００７５】
[0085]したがって、方法１０００は、以前の接続失敗に関係する情報をクリアすること、および／または、ある時間期間の間、将来の接続要求を保留することによって、ネットワークにおいて輻輳を低減することを提供し得る。方法１０００は一実装形態にすぎないこと、および方法１０００の動作は、他の実装形態が可能であるように、並べ替えられるかまたは場合によっては変更され得ることに留意されたい。
【００７６】
[0086]図１１は、本開示の様々な態様による、ある時間期間の間、将来の接続要求を保留することによってネットワークにおいて輻輳を低減するための方法１１００の一例を示すフローチャートである。明快のために、方法１１００は、ＵＥ（たとえば、図１のＵＥ１１５のうちの１つまたは複数、図２のＵＥ１１５、図３のＵＥ３１５、および／または図６のＵＥ６１５）に関して以下で説明される。一実装形態では、図３、図４、および／または図５の接続要求制御モジュール３１０は、以下で説明される機能を実施するためにＵＥの機能要素を制御するためのコードの１つまたは複数のセットを実行し得る。
【００７７】
[0087]ブロック１１０５において、時間しきい値が識別され得る。ブロック１１１０において、最後の検出された接続失敗の最後の受信されたタイムスタンプと最初の検出された接続失敗の最初の受信されたタイムスタンプとの間の差が時間しきい値を満たすかどうかに関する判断が行われ得る。上記差がしきい値を満たすと判断された場合、ブロック１１２０において、禁止時間の間、将来の接続要求が保留され得る。しかしながら、上記差が時間しきい値を満たさないと判断された場合、ブロック１１１５において、バックオフ時間の間、将来の接続要求が保留され得る。一例では、バックオフ時間は禁止時間よりも小さいことがある。
【００７８】
[0088]したがって、方法１１００は、ある時間期間の間、将来の接続要求を保留することによって、ネットワークにおいて輻輳を低減することを提供し得る。方法１１００は一実装形態にすぎないこと、および方法１１００の動作は、他の実装形態が可能であるように、並べ替えられるかまたは場合によっては変更され得ることに留意されたい。
【００７９】
[0089]添付の図面に関して上記に記載された詳細な説明は、例示的な例について説明しており、実装され得るまたは特許請求の範囲内に入る例のみを表すものではない。この説明全体にわたって使用される「例示的（exemplary）」または「例示的（illustrative）」という用語は、「例、事例、または例示の働きをすること」を意味し、「好ましい」または「他の例よりも有利な」を意味しない。詳細な説明は、説明された技法の理解を与えるために、具体的な詳細を含む。ただし、これらの技法は、これらの具体的な詳細なしに実施され得る。いくつかの事例では、説明された例の概念を不明瞭にすることを回避するために、よく知られている構造およびデバイスがブロック図の形式で示される。
【００８０】
[0090]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８１】
[0091]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するために設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【００８２】
[0092]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、あるいはコンピュータ可読媒体を介して送信され得る。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００８３】
[0093]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−Ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００８４】
[0094]本明細書で説明された技法は、セルラーワイヤレスシステムなどの様々なワイヤレス通信システム、ピアツーピアワイヤレス通信、ワイヤレスローカルアクセスネットワーク（ＷＬＡＮ）、アドホックネットワーク、衛星通信システム、および他のシステムのために使用され得る。「システム」および「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。概して、ワイヤレス通信は、無線アクセス技術（ＲＡＴ）と呼ばれる１つまたは複数の無線通信技術の規格化された実装形態に従って行われる。無線アクセス技術を実装するワイヤレス通信システムまたはネットワークは無線アクセスネットワーク（ＲＡＮ）と呼ばれることがある。
【００８５】
[0095]ＣＤＭＡ技法を採用する無線アクセス技術の例としては、ＣＤＭＡ２０００、ユニバーサル地上波無線アクセス（ＵＴＲＡ：Universal Terrestrial Radio Access）などがある。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムの例としては、モバイル通信用グローバルシステム（ＧＳＭ（登録商標）：Global System for Mobile Communications）の様々な実装形態がある。ＯＦＤＭおよび／またはＯＦＤＭＡを採用する無線アクセス技術の例としては、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明された技法は、上記で述べられたシステムおよび無線技術、ならびに他のシステムおよび無線技術のために使用され得る。
【００８６】
[0096]本開示についての以上の説明は、当業者が本開示を作成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。  
以下に出願当初の特許請求の範囲を付記する。  
［Ｃ１］
ユーザ機器（ＵＥ）における第２の接続失敗を検出することと、
前記第２の接続失敗のタイムスタンプと第１の接続失敗の以前記憶されたタイムスタンプとの間の第１の差を計算することと、
前記第１の差が第１の時間しきい値を満たすという判断に少なくとも部分的に基づいて、少なくとも前記第１の接続失敗に関係する前記ＵＥにおける記憶された情報を変更することと
を備える、ワイヤレス通信の方法。
［Ｃ２］
少なくとも前記第１の接続失敗に関係する前記記憶された情報を変更することが、１つまたは複数の以前の接続失敗に関係する前記記憶された情報をクリアすること、または前記１つまたは複数の以前の接続失敗に関連する重みを調整することのうちの少なくとも１つを備え、ここにおいて、前記１つまたは複数の以前の接続失敗が前記第１の接続失敗を含む、Ｃ１に記載の方法。
［Ｃ３］
前記１つまたは複数の以前の接続失敗に関係する情報をクリアすることが、
接続失敗のカウンタをリセットすること
を備える、Ｃ２に記載の方法。
［Ｃ４］
前記１つまたは複数の以前の接続失敗に関係する前記記憶された情報をクリアすることが、
前記１つまたは複数の以前の接続失敗の記憶されたタイムスタンプをクリアすること
を備える、Ｃ２に記載の方法。
［Ｃ５］
前記１つまたは複数の以前の接続失敗に関係する情報をクリアすることが、
前記第２の接続失敗の前記タイムスタンプで、ある時間期間中に発生すべき最早接続失敗の以前記憶されたタイムスタンプを更新することと、
接続失敗のカウンタを初期化することと
を備える、Ｃ２に記載の方法。
［Ｃ６］
前記第１の差が前記第１の時間しきい値を満たすことができないと判断すると、前記第２の接続失敗の前記タイムスタンプで、ある時間期間中に発生すべき最後接続失敗の以前記憶されたタイムスタンプを更新することと、
接続失敗のカウンタを増分することと、
接続失敗の前記カウンタがカウンタしきい値を満たすかどうかを判断することと
をさらに備える、請求項１に記載の方法。
［Ｃ７］
接続失敗の前記カウンタが前記カウンタしきい値を満たすと判断すると、前記時間期間中に発生すべき前記最後接続失敗の前記タイムスタンプと、前記時間期間中に発生すべき最早接続失敗のタイムスタンプとの間の第２の差を計算することと、
前記第２の差が第２の時間しきい値を満たすかどうかを判断することと
をさらに備える、Ｃ６に記載の方法。
［Ｃ８］
前記第２の差が前記第２の時間しきい値を満たすことができないと判断すると、バックオフ時間の間、将来の接続要求を保留すること
をさらに備える、Ｃ７に記載の方法。
［Ｃ９］
前記第２の差が前記第２の時間しきい値を満たすと判断すると、禁止時間の間、前記将来の接続要求を保留すること
をさらに備え、前記禁止時間が前記バックオフ時間よりも大きい、Ｃ８に記載の方法。
［Ｃ１０］
前記第２の接続失敗が前記第１の接続失敗の発生の後で発生する、Ｃ１に記載の方法。
［Ｃ１１］
プロセッサと、
前記プロセッサと電子通信しているメモリと、
前記メモリに記憶された命令と
を備え、前記命令は、
ユーザ機器（ＵＥ）における第２の接続失敗を検出することと、
前記第２の接続失敗のタイムスタンプと第１の接続失敗の以前記憶されたタイムスタンプとの間の第１の差を計算することと、
前記第１の差が第１の時間しきい値を満たすという判断に少なくとも部分的に基づいて、少なくとも前記第１の接続失敗に関係する前記ＵＥにおける記憶された情報を変更することと
を行うために前記プロセッサによって実行可能である、
ワイヤレス通信のための装置。
［Ｃ１２］
少なくとも前記第１の接続失敗に関係する前記記憶された情報を変更するための前記命令が、１つまたは複数の以前の接続失敗に関係する前記記憶された情報をクリアすること、または前記１つまたは複数の以前の接続失敗に関連する重みを調整することを行うために前記プロセッサによって実行可能であり、ここにおいて、前記１つまたは複数の以前の接続失敗が前記第１の接続失敗を含む、Ｃ１１に記載の装置。
［Ｃ１３］
前記１つまたは複数の以前の接続失敗に関係する情報をクリアするための前記命令が、
接続失敗のカウンタをリセットする
ために前記プロセッサによって実行可能である、Ｃ１２に記載の装置。
［Ｃ１４］
前記１つまたは複数の以前の接続失敗に関係する情報をクリアするための前記命令が、
前記１つまたは複数の以前の接続失敗の記憶されたタイムスタンプをクリアする
ために前記プロセッサによって実行可能である、Ｃ１２に記載の装置。
［Ｃ１５］
前記１つまたは複数の以前の接続失敗に関係する情報をクリアするための前記命令が、
前記第２の接続失敗の前記タイムスタンプで、ある時間期間中に発生すべき最早接続失敗の以前記憶されたタイムスタンプを更新することと、
接続失敗のカウンタを初期化することと
を行うために前記プロセッサによって実行可能である、Ｃ１２に記載の装置。
［Ｃ１６］
前記第１の差が前記第１の時間しきい値を満たすことができないと判断すると、前記命令は、
前記第２の接続失敗の前記タイムスタンプで、ある時間期間中に発生すべき最後接続失敗の以前記憶されたタイムスタンプを更新することと、
接続失敗のカウンタを増分することと、
接続失敗の前記カウンタがカウンタしきい値を満たすかどうかを判断することと
を行うために前記プロセッサによって実行可能である、Ｃ１１に記載の装置。
［Ｃ１７］
接続失敗の前記カウンタが前記カウンタしきい値を満たすと判断すると、前記命令は、
前記時間期間中に発生すべき前記最後接続失敗の前記タイムスタンプと、前記時間期間中に発生すべき最早接続失敗のタイムスタンプとの間の第２の差を計算することと、
前記第２の差が第２の時間しきい値を満たすかどうかを判断することと
を行うために前記プロセッサによって実行可能である、Ｃ１６に記載の装置。
［Ｃ１８］
前記第２の差が前記第２の時間しきい値を満たすことができないと判断すると、前記命令が、
バックオフ時間の間、将来の接続要求を保留する
ために前記プロセッサによって実行可能である、Ｃ１７に記載の装置。
［Ｃ１９］
前記第２の差が前記第２の時間しきい値を満たすと判断すると、前記命令が、
禁止時間の間、前記将来の接続要求を保留する
ために前記プロセッサによって実行可能であり、前記禁止時間が前記バックオフ時間よりも大きい、Ｃ１８に記載の装置。
［Ｃ２０］
ユーザ機器（ＵＥ）における第２の接続失敗を検出するための手段と、
前記第２の接続失敗のタイムスタンプと第１の接続失敗の以前記憶されたタイムスタンプとの間の第１の差を計算するための手段と、
前記第１の差が第１の時間しきい値を満たすという判断に少なくとも部分的に基づいて、少なくとも前記第１の接続失敗に関係する前記ＵＥにおける記憶された情報を変更するための手段と
を備える、ワイヤレス通信のための装置。
［Ｃ２１］
少なくとも前記第１の接続失敗に関係する前記記憶された情報を変更するための前記手段が、１つまたは複数の以前の接続失敗に関係する前記記憶された情報をクリアするための手段、または前記１つまたは複数の以前の接続失敗に関連する重みを調整するための手段のうちの少なくとも１つを備え、ここにおいて、前記１つまたは複数の以前の接続失敗が前記第１の接続失敗を含む、Ｃ２０に記載の装置。
［Ｃ２２］
前記１つまたは複数の以前の接続失敗に関係する前記記憶された情報をクリアするための前記手段が、
接続失敗のカウンタをリセットするための手段
を備える、Ｃ２１に記載の装置。
［Ｃ２３］
前記１つまたは複数の以前の接続失敗に関係する前記記憶された情報をクリアするための前記手段が、
前記１つまたは複数の以前の接続失敗の記憶されたタイムスタンプをクリアするための手段
を備える、Ｃ２１に記載の装置。
［Ｃ２４］
前記１つまたは複数の以前の接続失敗に関係する前記記憶された情報をクリアするための前記手段が、
前記第２の接続失敗の前記タイムスタンプで、ある時間期間中に発生すべき最早接続失敗の以前記憶されたタイムスタンプを更新するための手段と、
接続失敗のカウンタを初期化するための手段と
を備える、Ｃ２１に記載の装置。
［Ｃ２５］
前記第１の差が前記第１の時間しきい値を満たすことができないと判断すると、前記第２の接続失敗の前記タイムスタンプで、ある時間期間中に発生すべき最後接続失敗の以前記憶されたタイムスタンプを更新するための手段と、
接続失敗のカウンタを増分するための手段と、
接続失敗の前記カウンタがカウンタしきい値を満たすかどうかを判断するための手段と
をさらに備える、Ｃ２０に記載の装置。
［Ｃ２６］
接続失敗の前記カウンタが前記カウンタしきい値を満たすと判断すると、前記時間期間中に発生すべき前記最後接続失敗の前記タイムスタンプと、前記時間期間中に発生すべき最早接続失敗のタイムスタンプとの間の第２の差を計算するための手段と、
前記第２の差が第２の時間しきい値を満たすかどうかを判断するための手段と
をさらに備える、Ｃ２５に記載の装置。
［Ｃ２７］
前記第２の差が前記第２の時間しきい値を満たすことができないと判断すると、バックオフ時間の間、将来の接続要求を保留するための手段
をさらに備える、Ｃ２６に記載の装置。
［Ｃ２８］
前記第２の差が前記第２の時間しきい値を満たすと判断すると、禁止時間の間、前記将来の接続要求を保留するための手段
をさらに備え、前記禁止時間が前記バックオフ時間よりも大きい、Ｃ２７に記載の装置。
［Ｃ２９］
ワイヤレス通信システムにおいて輻輳を低減するためのコンピュータプログラム製品であって、前記コンピュータプログラム製品は、少なくとも１つのプロセッサに、
ユーザ機器（ＵＥ）における第２の接続失敗を検出することと、
前記第２の接続失敗のタイムスタンプと第１の接続失敗の以前記憶されたタイムスタンプとの間の第１の差を計算することと、
前記第１の差が第１の時間しきい値を満たすという判断に少なくとも部分的に基づいて、少なくとも前記第１の接続失敗に関係する前記ＵＥにおける記憶された情報を変更することと
を行わせるための命令を記憶する非一時的コンピュータ可読媒体を備える、コンピュータプログラム製品。
［Ｃ３０］
少なくとも前記第１の接続失敗に関係する前記記憶された情報を変更するための前記命令が、前記少なくとも１つのプロセッサに、１つまたは複数の以前の接続失敗に関係する前記記憶された情報をクリアすること、または前記１つまたは複数の以前の接続失敗に関連する重みを調整することを行わせ、ここにおいて、前記１つまたは複数の以前の接続失敗が前記第１の接続失敗を含む、Ｃ２９に記載のコンピュータプログラム製品。
【図１】
0005959763.tif 000002
【図２】
0005959763.tif 000003
【図３】
0005959763.tif 000004
【図４】
0005959763.tif 000005
【図５】
0005959763.tif 000006
【図６】
0005959763.tif 000007
【図７】
0005959763.tif 000008
【図８】
0005959763.tif 000009
【図９】
0005959763.tif 000010
【図１０】
0005959763.tif 000011
【図１１】
0005959763.tif 000012